(57)【要約】【課題】  スタート地点から遠距離を隔てた計時地点等においても、適切に競技時間を計時することのできる競技用計時システム等を提供する。【解決手段】  時計車ＴＣのランニングタイム送受信機１６は、スタート時にスタート地点の近傍に位置しており、ランニングタイム送信機１２から送信されるランニングタイムに同期する。そして、時計車ＴＣが、各計時地点、ゴール地点へと順に走行する際に、ランニングタイム送受信機１６は、近傍に位置するランニングタイム受信機１３に、自己が計時するランニングタイムを送信する。そして、各ランニングタイム受信機１３は、ランニングタイム送信機１２と同期したランニングタイムを計時することになる。【選択図】  図１
2005300255.tif 000002
【特許請求の範囲】
【請求項１】
基準となるランニングタイムを計時する第１のタイマと、当該第１のタイマから遠距離を隔てた地点に設置される第２のタイマと、少なくとも当該第１のタイマの近傍から当該第２のタイマの近傍に移動される第３のタイマと、を含む競技用計時システムであって、
前記第１のタイマは、
所定のタイミングで発せられるスタート信号に応答して、ランニングタイムの計時を開始する計時手段と、
前記計時手段が計時しているランニングタイムを、近傍に位置する前記第３のタイマに向けて送信する送信手段と、を備え、
前記第３のタイマは、
前記第１のタイマの近傍に位置する際に、前記第１のタイマから送信されるランニングタイムを受信する受信手段と、
前記受信手段が受信したランニングタイムに同期したランニングタイムを計時する計時手段と、
前記第２のタイマの近傍に位置する際に、自己の前記計時手段が計時しているランニングタイムを、前記第２のタイマに向けて送信する送信手段と、を備え、
前記第２のタイマは、
近傍に位置する前記第３のタイマから送信されるランニングタイムを受信する受信手段と、
前記受信手段が受信したランニングタイムに同期したランニングタイムを計時する計時手段と、を備える、
ことを特徴とする競技用計時システム。
【請求項２】
前記第２及び第３のタイマの計時手段は、所定の時刻同期プロトコルに基づいて受信されたランニングタイムに基づいて、自己が計時していたランニングタイムを補正する、
ことを特徴とする請求項１に記載の競技用計時システム。
【請求項３】
前記第１〜第３のタイマは、それぞれランニングタイムを表示するための表示装置と接続されており、
自己の計時手段が計時しているランニングタイムを、前記表示装置に供給する供給手段を更に備える、
ことを特徴とする請求項１又は２に記載の競技用計時システム。
【請求項４】
基準となるランニングタイムを計時する第１のタイマと、第１のタイマから遠距離を隔てた地点に設置される第２のタイマと、少なくとも第１のタイマの近傍から第２のタイマの近傍に移動される第３のタイマと、を含むシステムにおける時刻同期方法であって、
第１のタイマにおいて、所定のタイミングで発せられるスタート信号に応答し、ランニングタイムの計時を開始する第１の計時ステップと、
前記第１の計時ステップにて計時しているランニングタイムを、第１のタイマの近傍に位置する第３のタイマに向けて送信する送信ステップと、
第３のタイマが第１のタイマの近傍に位置する際に、第１のタイマから送信されるランニングタイムを受信する受信ステップと、
第３のタイマにおいて、前記受信ステップにて受信したランニングタイムに同期したランニングタイムを計時する第２の計時ステップと、
第３のタイマが第２のタイマの近傍に位置する際に、前記第２の計時ステップにて計時しているランニングタイムを、第２のタイマに向けて送信する送信ステップと、
第２のタイマの近傍に第３のタイマから送信されるランニングタイムを受信する受信ステップと、
第２のタイマにおいて、前記受信ステップにて受信したランニングタイムに同期したランニングタイムを計時する第３の計時ステップと、
を備えることを特徴とする時刻同期方法。
【請求項５】
前記第２及び第３の計時ステップは、所定の時刻同期プロトコルに基づいて受信されたランニングタイムに基づいて、自己が計時していたランニングタイムを補正する、
ことを特徴とする請求項４に記載の時刻同期方法。
【請求項６】
前記第１〜第３のタイマは、それぞれランニングタイムを表示するための表示装置と接続されており、
前記第１〜第３の計時ステップにて計時しているランニングタイムを、それぞれの表示装置に供給する供給ステップを更に備える、
ことを特徴とする請求項４又は５に記載の時刻同期方法。
【発明の詳細な説明】
【技術分野】
【０００１】
この発明は、スタート地点から遠距離を隔てた計時地点においても、適切に競技時間を計時することのできる競技用計時システムおよび、時刻同期方法に関する。
【背景技術】
【０００２】
近年、マラソン競技や駅伝競技等において、競技者や観戦者にランニングタイム（競技開始からの経過時間）を報知するために、時刻表示装置が用いられている。この時刻表示装置は、例えば、スタート地点、中継地点等の各計時地点、及び、ゴール地点（スタート地点とゴール地点とが異なる場合）等にそれぞれ設置され、ランニングタイムを計時する。また、時刻表示装置は、競技者と共に走行する時計車に搭載され、競技中の競技者や沿道の観戦者にランニングタイムを報知し続ける場合もある。
【０００３】
このような時刻表示装置は、例えば、従来からある電波信号による時刻調整手段を利用することも可能となっている。そして、予め定められた競技開始時刻（予定時刻）に計時を開始することで、それぞれが同一時刻（同時進行するランニングタイム）を計時するようにしている。
それでも、実際には、種々の要因により競技開始が予定時刻よりも数秒程度遅れる場合も多く、この場合に、計時地点等で表示されるランニングタイムが適切でないことになる。
【０００４】
そのため、各時刻表示装置において同時刻を計時させる種々の工夫がなされてきた。最近では、ＧＰＳ（Global Positioning System）から得られる基準時刻に各時刻表示装置を調整し、その上で、競技が開始されたスタート時刻を入力することにより、各時刻表示装置に同時刻を計時させる技術も開示されている（例えば、特許文献１参照）。
【特許文献１】特開平１１−１６０４６６号公報  （第３−４頁、第２図）
【発明の開示】
【発明が解決しようとする課題】
【０００５】
しかしながら、特許文献１に開示される技術は、スタート地点の競技役員等が計時地点やゴール地点の競技役員等に、スタート時刻を口頭により伝達し、各時刻表示装置にスタート時刻を入力させるものである。このため、極めて煩雑であるだけでなく、誤ってスタート時刻が伝達されたり、入力を誤る場合も起こり得る。
また、各時刻表示装置がＧＰＳから基準時刻を得るためにＧＰＳ機器を備える必要があるため、装置が大がかりとなってしまうという問題があった。
【０００６】
また、競技を放送するテレビやラジオ等の中継施設（放送中継車等）では、放送に使用するランニングタイムを同様に計時している。具体的に放送中継車では、独自にスタート時刻を取得したり、スタート地点の時刻表示装置を目視するなどして、同一のランニングタイムの計時に努めることになる。
それでも、現実には、完全に一致した時刻を計時することが難しく、放送される字幕のランニングタイムと、映像が映し出す時刻表示装置（時計車や計時地点等）に表示されるランニングタイムとが僅かにずれている場合も多かった。
【０００７】
本発明は、上記実状に鑑みてなされたもので、スタート地点から遠距離を隔てた計時地点等においても、適切に競技時間を計時することのできる競技用計時システムおよび、時刻同期方法を提供することを目的とする。
【課題を解決するための手段】
【０００８】
上記目的を達成するため、本発明の第１の観点に係る競技用計時システムは、
基準となるランニングタイムを計時する第１のタイマと、当該第１のタイマから遠距離を隔てた地点に設置される第２のタイマと、少なくとも当該第１のタイマの近傍から当該第２のタイマの近傍に移動される第３のタイマと、を含む競技用計時システムであって、
前記第１のタイマは、
所定のタイミングで発せられるスタート信号に応答して、ランニングタイムの計時を開始する計時手段と、
前記計時手段が計時しているランニングタイムを、近傍に位置する前記第３のタイマに向けて送信する送信手段と、を備え、
前記第３のタイマは、
前記第１のタイマの近傍に位置する際に、前記第１のタイマから送信されるランニングタイムを受信する受信手段と、
前記受信手段が受信したランニングタイムに同期したランニングタイムを計時する計時手段と、
前記第２のタイマの近傍に位置する際に、自己の前記計時手段が計時しているランニングタイムを、前記第２のタイマに向けて送信する送信手段と、を備え、
前記第２のタイマは、
近傍に位置する前記第３のタイマから送信されるランニングタイムを受信する受信手段と、
前記受信手段が受信したランニングタイムに同期したランニングタイムを計時する計時手段と、を備える、
ことを特徴とする。
【０００９】
この発明によれば、第１のタイマでの計時手段は、所定のタイミングで発せられるスタート信号に応答して、ランニングタイムの計時を開始する。送信手段は、計時手段が計時しているランニングタイムを、近傍に位置する第３のタイマに向けて送信する。また、第３のタイマでの受信手段は、第３のタイマが第１のタイマの近傍に位置する際に、第１のタイマから送信されるランニングタイムを受信する。計時手段は、受信手段が受信したランニングタイムに同期したランニングタイムを計時する。送信手段は、第３のタイマが第２のタイマの近傍に位置する際に、自己の計時手段が計時しているランニングタイムを、第２のタイマに向けて送信する。そして、第２のタイマでの受信手段は、近傍に位置する前記第３のタイマから送信されるランニングタイムを受信する。計時手段は、受信手段が受信したランニングタイムに同期したランニングタイムを計時する。
このように、第３のタイマは、まず、第１のタイマの近傍に位置する際に、第１のタイマが計時するランニングタイムに同期し、そして、第２のタイマの近傍に位置する際に、第３のタイマが計時するランニングタイム（第１のタイマに同期しているランニングタイム）を、第２のタイマに送信する。これにより、第２のタイマは、第１のタイマに同期したランニングタイムを計時することになる。
この結果、スタート地点から遠距離を隔てた計時地点においても、適切に競技時間を計時することができる。
【００１０】
前記第２及び第３のタイマの計時手段は、所定の時刻同期プロトコルに基づいて受信されたランニングタイムに基づいて、自己が計時していたランニングタイムを補正してもよい。
【００１１】
前記第１〜第３のタイマは、それぞれランニングタイムを表示するための表示装置と接続されており、
自己の計時手段が計時しているランニングタイムを、前記表示装置に供給する供給手段を更に備えてもよい。
【００１２】
上記目的を達成するため、本発明の第２の観点に係る時刻同期方法は、
基準となるランニングタイムを計時する第１のタイマと、第１のタイマから遠距離を隔てた地点に設置される第２のタイマと、少なくとも第１のタイマの近傍から第２のタイマの近傍に移動される第３のタイマと、を含むシステムにおける時刻同期方法であって、
第１のタイマにおいて、所定のタイミングで発せられるスタート信号に応答し、ランニングタイムの計時を開始する第１の計時ステップと、
前記第１の計時ステップにて計時しているランニングタイムを、第１のタイマの近傍に位置する第３のタイマに向けて送信する送信ステップと、
第３のタイマが第１のタイマの近傍に位置する際に、第１のタイマから送信されるランニングタイムを受信する受信ステップと、
第３のタイマにおいて、前記受信ステップにて受信したランニングタイムに同期したランニングタイムを計時する第２の計時ステップと、
第３のタイマが第２のタイマの近傍に位置する際に、前記第２の計時ステップにて計時しているランニングタイムを、第２のタイマに向けて送信する送信ステップと、
第２のタイマの近傍に第３のタイマから送信されるランニングタイムを受信する受信ステップと、
第２のタイマにおいて、前記受信ステップにて受信したランニングタイムに同期したランニングタイムを計時する第３の計時ステップと、
を備えることを特徴とする。
【００１３】
この発明によれば、第１の計時ステップは、第１のタイマにおいて、所定のタイミングで発せられるスタート信号に応答し、ランニングタイムの計時を開始する。送信ステップは、第１の計時ステップにて計時しているランニングタイムを、第１のタイマの近傍に位置する第３のタイマに向けて送信する。受信ステップは、第３のタイマが第１のタイマの近傍に位置する際に、第１のタイマから送信されるランニングタイムを受信する。第２の計時ステップは、第３のタイマにおいて、受信ステップにて受信したランニングタイムに同期したランニングタイムを計時する。送信ステップは、第３のタイマが第２のタイマの近傍に位置する際に、第２の計時ステップにて計時しているランニングタイムを、第２のタイマに向けて送信する。受信ステップは、第２のタイマの近傍に第３のタイマから送信されるランニングタイムを受信する。第３の計時ステップは、第２のタイマにおいて、受信ステップにて受信したランニングタイムに同期したランニングタイムを計時する。
このように、第３のタイマは、まず、第１のタイマの近傍に位置する際に、第１のタイマが計時するランニングタイムに同期し、そして、第２のタイマの近傍に位置する際に、第３のタイマが計時するランニングタイム（第１のタイマに同期しているランニングタイム）を、第２のタイマに送信する。これにより、第２のタイマは、第１のタイマに同期したランニングタイムを計時することになる。
この結果、スタート地点から遠距離を隔てた計時地点においても、適切に競技時間を計時することができる。
【００１４】
前記第２及び第３の計時ステップは、所定の時刻同期プロトコルに基づいて受信されたランニングタイムに基づいて、自己が計時していたランニングタイムを補正してもよい。
【００１５】
前記第１〜第３のタイマは、それぞれランニングタイムを表示するための表示装置と接続されており、
前記第１〜第３の計時ステップにて計時しているランニングタイムを、それぞれの表示装置に供給する供給ステップを更に備えてもよい。
【発明の効果】
【００１６】
本発明によれば、スタート地点から遠距離を隔てた計時地点においても、適切に競技時間を計時することができる。
【発明を実施するための最良の形態】
【００１７】
本発明の実施の形態にかかる競技用計時システムについて、以下図面を参照して説明する。なお、一例として、競技用計時システムがマラソン競技に適用された場合について説明する。
【００１８】
（実施形態１）
図１は、この発明の実施の形態に適用される競技用計時システム１の構成の一例を示す模式図である。なお、以下ではスタート地点とゴール地点とが異なる地点となっている場合を一例として説明する。
【００１９】
図示するように、競技用計時システム１は、スタート地点に設置されたスタート信号発生装置１１、ランニングタイム送信機１２、ランニングタイム受信機１３、及び、時刻表示装置１４と、各計時地点（中継地点等）に設置されたランニングタイム受信機１３、及び、時刻表示装置１４と、ゴール地点に設置されたランニングタイム受信機１３、時刻表示装置１４、及び、写真判定装置１５と、スタート地点（近傍）から各計時地点を経由してゴール地点（近傍）まで走行する時計車ＴＣに搭載された時刻表示装置１４、及び、ランニングタイム送受信機１６と、を含んで構成される。
なお、スタート地点、各計時地点、及び、ゴール地点は、互いに遠距離を隔てた位置に散在している。そして、時計車ＴＣがそれぞれの地点の近傍に位置する場合にだけ、ランニングタイム送信機１２や各ランニングタイム受信機１３と、ランニングタイム送受信機１６との無線通信が可能となっている。
【００２０】
スタート地点に設置されるスタート信号発生装置１１は、スタータによるスタート指示に同期して、スタート信号をランニングタイム送信機１２に供給する。具体的にスタート信号発生装置１１には、スタートピストルＳＰが接続されており、スタートピストルＳＰが発射されると（撃たれると）、スタート信号がランニングタイム送信機１２に供給される。
【００２１】
ランニングタイム送信機１２は、基準となるランニングタイムを計時するタイマ（後述する計時ユニット２４）を備えると共に、計時したランニングタイムを近傍に位置する時計車ＴＣに送信する。
具体的にランニングタイム送信機１２は、第１のタイマを構成し、図２に示すように、アンテナ２１と、送信手段としての送信ユニット２２と、信号受信ユニット２３と、計時手段としての計時ユニット２４と、から構成される。
【００２２】
アンテナ２１は、送信用のアンテナである。また、送信ユニット２２は、計時ユニット２４が計時しているランニングタイムを、アンテナ２１を介して近傍に位置する時計車ＴＣ（ランニングタイム送受信機１６）に向けて送信する。
なお、送信ユニット２２は、ランニングタイム送受信機１６との間で、後述する時刻同期プロトコルによる無線通信を行い、適切にランニングタイムを送信する。
【００２３】
信号受信ユニット２３は、スタート信号発生装置１１から供給されるスタート信号を受信すると、計時ユニット２４に対して計時の開始を指示する。
計時ユニット２４は、基準となるランニングタイムを計時するタイマであり、スタート信号（信号受信ユニット２３からの指示）に応答して、計時を開始する。なお、計時ユニット２４は、高安定水晶発振器を備えており、安定したランニングタイムの計時を維持することが可能となっている。
【００２４】
スタート地点、各計時地点、及び、ゴール地点にそれぞれ設置されるランニングタイム受信機１３は、所定の競技開始時刻に図示しないスイッチなどの操作により計時を開始するが、時計車ＴＣから送信されるランニングタイムを受信すると、受信したランニングタイムに同期したランニングタイムを計時する。すなわち、受信したランニングタイムに時刻修正され、これにより受信したランニングタイムに同期したランニングタイムを計時する。
なお、スタート地点に設置されるランニングタイム受信機１３だけは、ランニングタイム送信機１２から送信されるランニングタイムを受信するようにしてもよい。
具体的にランニングタイム受信機１３は、第２のタイマを構成し、図３に示すように、アンテナ３１と、受信手段としての受信ユニット３２と、タイム補正ユニット３３と、計時手段としての計時ユニット３４と、タイム供給ユニット３５と、から構成される。
【００２５】
アンテナ３１は、受信用のアンテナである。また、受信ユニット３２は、アンテナ３１を介して、近傍に位置する時計車ＴＣ（ランニングタイム送受信機１６）から送信されるランニングタイムを受信する。
なお、受信ユニット２３は、ランニングタイム送受信機１６との間で、時刻同期プロトコルによる無線通信を行い、適切にランニングタイムを受信する。
【００２６】
タイム補正ユニット３３は、受信ユニット３２が受信したランニングタイムに基づいて、計時ユニット３４が計時するランニングタイムを時刻修正して補正する。
計時ユニット３４は、ランニングタイムを計時するタイマであり、タイム補正ユニット３３により、受信ユニット３２が受信したランニングタイムと同期したランニングタイムを計時する。なお、計時ユニット３４も、高安定水晶発振器を備えており、安定したランニングタイムの計時を維持することが可能となっている。
【００２７】
タイム供給ユニット３５は、時刻表示装置１４に向けて計時ユニット３４が計時しているランニングタイム（タイム情報）を供給する。
【００２８】
図１に戻って、スタート地点、各計時地点、ゴール地点、及び、時計車ＴＣにそれぞれ設置（搭載）される時刻表示装置１４は、電光掲示板等からなり、ランニングタイム受信機１３（時計車ＴＣではランニングタイム送受信機１６）から供給されるタイム情報に従って、ランニングタイムを表示する。
【００２９】
ゴール地点に設置される写真判定装置１５は、ラインセンサ・ビデオ装置又はハイスピード・ビデオ装置等からなり、カメラＣＡＭから供給される映像信号（ゴールライン等の映像）を適宜記録する。記録された映像は、ゴールする競技者の着順等の判定に使用される。
【００３０】
時計車ＴＣに搭載されるランニングタイム送受信機１６は、時計車ＴＣがスタート地点の近傍に位置する際に、ランニングタイム送信機１２から送信されるランニングタイムを受信し、受信したランニングタイムに同期したランニングタイムの計時を開始する。
また、ランニングタイム送受信機１６は、時計車ＴＣが各計時地点やゴール地点の近傍に位置する際に、自己が計時するランニングタイム（スタート地点のランニングタイムと同期しているランニングタイム）を、近傍のランニングタイム受信機１３に送信する。
具体的にランニングタイム送受信機１６は、第３のタイマを構成し、図４に示すように、アンテナ４１と、受信手段としての受信ユニット４２と、計時手段としての計時ユニット４３と、送信手段としての送信ユニット４４と、から構成される。
【００３１】
アンテナ４１は、送受信用のアンテナである。また、受信ユニット４２は、時計車ＴＣがスタート地点の近傍に位置する際に、アンテナ４１を介して、ランニングタイム送信機１２から送信されるランニングタイムを受信する。
なお、受信ユニット４２は、ランニングタイム送信機１２との間で、時刻同期プロトコルによる無線通信を行い、適切にランニングタイムを受信する。
【００３２】
計時ユニット４３は、ランニングタイムを計時するタイマであり、受信ユニット４２が受信したランニングタイムと同期したランニングタイムの計時を開始する。なお、計時ユニット４３も、高安定水晶発振器を備えており、安定したランニングタイムの計時を維持することが可能となっている。
【００３３】
送信ユニット４４は、時計車ＴＣが各計時地点やゴール地点に位置する際に、計時ユニット４３が計時しているランニングタイムを、アンテナ４１を介して近傍のランニングタイム受信機１３に送信する。
【００３４】
以下、上述した構成の競技用計時システム１の動作について、図５等を参照して説明する。なお、時計車ＴＣは、競技の開始時にスタート地点（近傍）に位置し、競技を開始した競技者と共に走行し（例えば、先頭グループ等の前方を走行し）、各計時地点（近傍）を経由して、ゴール地点（近傍）に移動するものとする。
【００３５】
最初に、スタート時点におけるランニングタイム送信機１２及び、ランニングタイム送受信機１６等の動作について説明する。
スタータによりスタートピストルＳＰが発射されると、スタート信号発生装置１１はスタート信号を発生させ、ランニングタイム送信機１２に供給する。
このスタート信号に応答して、ランニングタイム送信機１２は、ランニングタイムの計時を開始する。そして、ランニングタイム送信機１２は、近傍に位置する時計車ＴＣ（ランニングタイム送受信機１６）に向けて、計時しているランニングタイム（基準となるランニングタイム）を送信する。
【００３６】
具体的に、ランニングタイム送信機１２とランニングタイム送受信機１６との間では、図６に示すような時刻同期プロトコルにより、ランニングタイムが適切に送信される。この場合、ランニングタイム送信機１２が送信側となって送信処理を実行し、また、ランニングタイム送受信機１６が受信側となって受信処理を実行する。以下、図６に沿って各処理を説明する。
【００３７】
まず、ランニングタイム送信機１２は、ランニングタイムをランニングタイム送受信機１６に向けて送信する（ステップＳ１）。つまり、自己が計時する基準となるランニングタイム（スタート信号に応答したランニングタイム）を、近傍に位置する時計車ＴＣに向けて送信する。
【００３８】
一方、ランニングタイム送受信機１６は、ランニングタイム送信機１２から送られたランニングタイムを受信する（ステップＳ２）。
ランニングタイム送受信機１６は、受信したランニングタイムに同期する（ステップＳ３）。つまり、ランニングタイム送受信機１６は、受信したランニングタイムに基づいて、基準となるランニングタイムに同期したランニングタイムの計時を開始する。
【００３９】
ランニングタイム送受信機１６は、所定の応答タイミングまで待機し（ステップＳ４）、応答タイミングになると、リンク完了を示す情報をランニングタイム送信機１２に送信する（ステップＳ５）。そして、ランニングタイム送受信機１６は、受信処理を終える。
【００４０】
また、ランニングタイム送信機１２は、ランニングタイム送受信機１６でのリンク完了を待機し（ステップＳ６）、リンク完了を示す情報を受信すると、送信処理を終える。
【００４１】
このような時刻同期プロトコル（送信処理及び受信処理）により、ランニングタイム送信機１２にて計時されるランニングタイムと、ランニングタイム送受信機１６にて計時されるランニングタイムとが同期（時刻同期）される。
そして、時計車ＴＣに搭載される時刻表示装置１４は、基準となるランニングタイムと同期したランニングタイムを逐次表示する。
【００４２】
次に、各計時地点におけるランニングタイム送受信機１６及びランニングタイム受信機１３等の動作について説明する。
ランニングタイム受信機１３は、所定の競技開始時刻に図示しないスイッチ等の操作により計時を開始する。そして、時計車ＴＣが競技者と共に走行し、何れかの計時地点の近傍に移動すると、ランニングタイム送受信機１６は、その計時地点のランニングタイム受信機１３に向けて、自己が計時しているランニングタイム（基準となるランニングタイムに同期しているランニングタイム）を送信する。
具体的に、ランニングタイム送受信機１６とランニングタイム受信機１３との間では、上述した図６に示すような時刻同期プロトコルにより、ランニングタイムが適切に送信される。この場合、ランニングタイム送受信機１６が送信側となって送信処理を実行し、また、ランニングタイム受信機１３が受信側となって受信処理を実行する。
【００４３】
上述した送信処理及び受信処理が同様に行われると、ランニングタイム送受信機１６にて計時されるランニングタイムと、ランニングタイム受信機１３にて計時されるランニングタイムとがリンクされる。以降、ランニングタイム受信機１３は、基準となるランニングタイムに同期したランニングタイムを計時する。
そして、計時地点に設置された時刻表示装置１４は、基準となるランニングタイムと同期したランニングタイムを逐次表示する。
【００４４】
次に、ゴール地点におけるランニングタイム送受信機１６及びランニングタイム受信機１３等の動作について説明する。
ランニングタイム受信機１３は、所定の競技開始時刻に図示しないスイッチ等の操作により計時を開始する。そして、時計車ＴＣが競技者と共に走行し、ゴール地点の近傍に移動すると、ランニングタイム送受信機１６は、ゴール地点のランニングタイム受信機１３に向けて、自己が計時しているランニングタイム（基準となるランニングタイムに同期しているランニングタイム）を送信する。
ここでも、ランニングタイム送受信機１６とランニングタイム受信機１３との間では、上述した図６に示すような時刻同期プロトコルにより、ランニングタイムが適切に送信される。つまり、上述した送信処理及び受信処理が同様に行われ、ランニングタイム送受信機１６にて計時されるランニングタイムと、ランニングタイム受信機１３にて計時されるランニングタイムとがリンクされる。以降、ランニングタイム受信機１３は、基準となるランニングタイムに同期したランニングタイムを計時する。
そして、ゴール地点に設置された時刻表示装置１４は、基準となるランニングタイムと同期したランニングタイムを逐次表示する。
【００４５】
これら説明したように、時計車ＴＣのランニングタイム送受信機１６は、スタート時に、スタート地点の近傍に位置しており、ランニングタイム送信機１２が計時するランニングタイムと同期をとる。そして、時計車ＴＣが、各計時地点、そして、ゴール地点へと順に走行すると、ランニングタイム送受信機１６は、近傍に位置するランニングタイム受信機１３に、自己が計時するランニングタイム（同期しているランニングタイム）を送信する。これにより、各ランニングタイム受信機１３は、ランニングタイム送信機１２と同期したランニングタイムを計時することになる。
この結果、スタート地点から遠距離を隔てた各計時地点やゴール地点においても、適切に競技時間を計時することができる。
【００４６】
上記の実施の形態では、各計時地点やゴール地点に設置されたランニングタイム受信機１３に、ランニングタイムを送信する場合について説明したが、ランニングタイム受信機１３の設置場所は、これらに限られず任意である。
例えば、図７に示すように、競技を放送するテレビやラジオ等の放送中継車に、ランニングタイム受信機１３を搭載し、ランニングタイム送受信機１６からランニングタイムの送信を受けられるようにしてもよい。
この場合、放送される字幕のランニングタイムと、映像が映し出す時刻表示装置（時計車や計時地点等）に表示されるランニングタイムとのずれを防止することができる。
【００４７】
上記の実施の形態では、スタート地点とゴール地点とが異なる場合を一例として説明したが、スタート地点とゴール地点が同じ場合にも、同様に適用可能である。
【００４８】
上記の実施の形態では、マラソン競技を一例として説明したが、計時対象の競技は、これに限られず任意である。
例えば、競歩、駅伝、身障者車椅子ロードレース、自転車ロードレース、トライアスロン、及び、ランニングやオリエンテーション等の山岳競技等にも適宜適用可能である。
なお、山岳競技では、上述の時計車ＴＣが山中に設置された計時地点やゴール地点の近傍まで移動できない場合もある。この場合、図８に示すように、少なくとも１対１の通信可能な範囲内にランニングタイム送受信機１６やランニングタイム受信機１３をそれぞれ設置し、アドホック通信により、遠方のランニングタイム送受信機１６やランニングタイム受信機１３まで、時刻同期できるようにしてもよい。
【００４９】
以上説明したように、本発明によれば、スタート地点から遠距離を隔てた計時地点等においても、適切に競技時間を計時することができる。
【図面の簡単な説明】
【００５０】
【図１】本発明の実施の形態に係る競技用計時システムの構成の一例を示す模式図である。
【図２】ランニングタイム送信機の構成の一例を示すブロック図である。
【図３】ランニングタイム受信機の構成の一例を示すブロック図である。
【図４】ランニングタイム送受信機の構成の一例を示すブロック図である。
【図５】競技用計時システムの動作を説明するための模式図である。
【図６】本発明の実施の形態に係る送信処理及び受信処理を説明するための模式図である。
【図７】放送中継車にランニングタイムを送信する場合を説明するための模式図である。
【図８】山中に設置されたランニングタイム送受信機やランニングタイム受信機において、時刻同期がなされる様子を説明するための模式図である。
【符号の説明】
【００５１】
１    競技用計時システム
１１  スタート信号発生装置
１２  ランニングタイム送信機
１３  ランニングタイム受信機
１４  時刻表示装置
１５  写真判定装置
１６  ランニングタイム送受信機
【図１】
2005300255.tif 000003
【図２】
2005300255.tif 000004
【図３】
2005300255.tif 000005
【図４】
2005300255.tif 000006
【図５】
2005300255.tif 000007
【図６】
2005300255.tif 000008
【図７】
2005300255.tif 000009
【図８】
2005300255.tif 000010